(57)【要約】【課題】広視角で表示が良好で、正面コントラストも良好な液晶表示素子を提供する。【解決手段】パッシブ駆動方式で駆動される液晶表示素子は、垂直配向型の液晶セル１０と、液晶セル１０よりも液晶表示素子の表示側に位置する第１の偏光板２０と、液晶セル１０を挟んで第１の偏光板２０とは反対側に位置し、第１の偏光板２０と略直交ニコルの関係で配置された第２の偏光板３０と、液晶セル１０と第１の偏光板２０の間に位置する二軸性プレート５０と、二軸性プレート５０と第１の偏光板２０の間に位置するＣプレート４０と、を備える。液晶表示素子の表示面の法線方向から見て、第２の偏光板３０は、その吸収軸３０Ａが、液晶ダイレクタ方向Ｎに対して略４５°の角度となり、且つ、二軸性プレート５０の面内方向の遅相軸ＳＡと略直交するように配置されている。【選択図】図３
2015064483.tif 000002
【特許請求の範囲】
【請求項１】
パッシブ駆動方式で駆動される液晶表示素子であって、
垂直配向型の液晶セルと、
前記液晶セルよりも前記液晶表示素子の表示側に位置する第１の偏光板と、
前記液晶セルを挟んで前記第１の偏光板とは反対側に位置し、前記第１の偏光板と略直交ニコルの関係で配置された第２の偏光板と、
前記液晶セルと前記第１の偏光板の間に位置する二軸性プレートと、
前記二軸性プレートと前記第１の偏光板の間に位置するネガティブＣプレートと、を備え、
前記液晶表示素子の表示面の法線方向から見て、前記第２の偏光板は、その吸収軸が、前記液晶セルに駆動電圧が印加されたときに液晶分子が倒れ込む方向に対して略４５°の角度となり、且つ、前記二軸性プレートの面内方向の遅相軸と略直交するように配置されている、
ことを特徴とする液晶表示素子。
【請求項２】
前記液晶表示素子は、ドットマトリクス型であり、
前記液晶セルは、延びる方向が互いに直交する第１の電極と第２の電極とを有し、
前記第１の電極と前記第２電極との一方の延びる方向は、前記液晶分子が倒れ込む方向と一致し、
前記第１の電極は、その延びる方向に沿った両端が三角形を複数配列したような形状であることによりジグザグに形成されており、該三角形は、前記第１の電極の延びる方向に沿った底辺を有し、底角が略３０°の二等辺三角形である、
ことを特徴とする請求項１に記載の液晶表示素子。
【請求項３】
前記第２の電極も、その延びる方向に沿った両端が三角形を複数配列したような形状であることによりジグザグに形成されており、該三角形は、前記第２の電極の延びる方向に沿った底辺を有し、底角が略３０°の二等辺三角形である、
ことを特徴とする請求項２に記載の液晶表示素子。
【発明の詳細な説明】
【技術分野】
【０００１】
本発明は、液晶表示素子に関し、詳しくは、パッシブ駆動方式で駆動される垂直配向（ＶＡ（Vertical Alignment）型）の液晶表示素子に関する。
【背景技術】
【０００２】
この種の液晶表示素子として、例えば、特許文献１には、液晶セルの上方に、液晶セルから近い方から順に、Ｃプレートと、二軸プレートとを配置したものが開示されている。特許文献１に係る液晶表示素子では、このように視角補償板を構成することにより、オン電圧印加時の視角依存性を小さくしている（深い視角でも表示が良好）。
【先行技術文献】
【特許文献】
【０００３】
【特許文献１】特許第４８７３５５３号公報
【発明の概要】
【発明が解決しようとする課題】
【０００４】
ＶＡ型の液晶表示素子を高いデューティ比で駆動した場合、表示の視角依存性を小さくしようとするとコントラストが低くなり、高いコントラストを得ようとすると表示の視角依存性が高まるという問題がある。そのため、特許文献１に係るような構成により広視角で表示を良好とできても、高いコントラストを得る点では常に改良の余地がある。
【０００５】
本発明は、上記実状に鑑みてなされたものであり、広視角で表示が良好で、正面コントラストも良好な液晶表示素子を提供することを目的とする。
【課題を解決するための手段】
【０００６】
上記目的を達成するため、本発明に係る液晶表示素子は、
パッシブ駆動方式で駆動される液晶表示素子であって、
垂直配向型の液晶セルと、
前記液晶セルよりも前記液晶表示素子の表示側に位置する第１の偏光板と、
前記液晶セルを挟んで前記第１の偏光板とは反対側に位置し、前記第１の偏光板と略直交ニコルの関係で配置された第２の偏光板と、
前記液晶セルと前記第１の偏光板の間に位置する二軸性プレートと、
前記二軸性プレートと前記第１の偏光板の間に位置するネガティブＣプレートと、を備え、
前記液晶表示素子の表示面の法線方向から見て、前記第２の偏光板は、その吸収軸が、前記液晶セルに駆動電圧が印加されたときに液晶分子が倒れ込む方向に対して略４５°の角度となり、且つ、前記二軸性プレートの面内方向の遅相軸と略直交するように配置されている、
ことを特徴とする。
【発明の効果】
【０００７】
本発明によれば、広視角で表示が良好で、正面コントラストも良好な液晶表示素子を提供することができる。
【図面の簡単な説明】
【０００８】
【図１】（ａ）は、本発明の一実施形態に係る液晶表示素子の構成を説明するための模式図である。（ｂ）は、図１（ａ）に示す液晶セルの概略断面図である。
【図２】液晶分子に付与されるプレティルトを説明するための図である。
【図３】（ａ）及び（ｂ）は、各光軸の関係を説明するための図である。
【図４】シミュレーションにおける等コントラスト特性、オン透過率、及び背景透過率の各種特性を示す図であり、（ａ）は、比較例１の各種特性を示し、（ｂ）は、比較例２の各種特性を示し、（ｃ）は、実施例の各種特性を示す図である。
【図５】実測における等コントラスト特性、オン透過率、及び背景透過率の各種特性を示す図であり、（ａ）は、実施例の各種特性を示し、（ｂ）は、比較例３の各種特性を示す図である。
【図６】実測における実施例及び比較例３の左右視角方向でのコントラスト特性を示すグラフの図である。
【図７】図６に示すグラフの元となるデータを示す図である。
【図８】図７に続くデータを示す図である。
【図９】（ａ）〜（ｃ）は、本発明の一実施形態に係る電極の形状を説明するための図である。
【図１０】本発明の変形例に係る電極の形状を説明するための図である。
【図１１】（ａ）は比較例において、（ｂ）は実施例において、（ｃ）は変形例において、必要となるブラックマトリクスの幅を説明するための図である。
【発明を実施するための形態】
【０００９】
本発明の一実施形態について図面を参照して説明する。
【００１０】
（液晶表示素子１００の構成）
本発明の一実施形態に係る液晶表示素子１００は、図１に示すように、液晶セル１０と、第１の偏光板２０と、第２の偏光板３０と、Ｃプレート４０と、二軸性プレート５０と、を備える。液晶表示素子１００は、後述の画素９を透過／不透過状態に適宜切り替えることで、所定の画像を表示する。以下では、図１（ａ）、（ｂ）に示すように、所定の部材よりも使用者（表示画像の視認者）側を表側、その反対側を裏側として、適宜説明する。
【００１１】
液晶セル１０は、垂直配向型（ＶＡ型）の液晶セルであり、図１（ｂ）に示すように、一対の表側基板１Ｆ及び裏側基板１Ｒと、表側電極部２Ｆ及び裏側電極部２Ｒと、ブラックマトリクス３と、平坦化層４と、配向膜５Ｆ，５Ｒと、液晶層６と、を備える。
【００１２】
表側基板１Ｆ、裏側基板１Ｒは、各々、例えば、ガラス、プラスチック等から透明に形成されている。表側基板１Ｆと裏側基板１Ｒとは、液晶層６を挟んで対向して配置されている。表側基板１Ｆは液晶セル１０の表側に位置し、裏側基板１Ｒは液晶セル１０の裏側に位置する。
【００１３】
表側電極部２Ｆ、裏側電極部２Ｒは、各々、酸化インジウムを主成分とするＩＴＯ（Indium Tin Oxide）膜等から構成され、光を透過する透明な電極部である。表側電極部２Ｆは、表側基板１Ｆの裏側に、ブラックマトリクス３及び平坦化層４を介して、形成されている。裏側電極部２Ｒは、裏側基板１Ｒの表側の面上に形成されている。
【００１４】
表側電極部２Ｆは、図９（ａ）に示すように、複数の透明な電極７から構成される。複数の電極７は、互いに平行に、所定方向に延びている。電極７は、走査電極として構成されている。以下では、液晶表示素子１００を構成する各部の理解を容易にするため、図９（ａ）等に示すように、電極７の延びる方向に沿う軸をＹ軸、Ｙ軸と直交する軸をＸ軸として、適宜、各部を説明する。裏側電極部２Ｒは、図９（ａ）に示すように、複数の透明な電極８から構成される（図９（ａ）では、電極８の端縁を点線で示した）。複数の電極８は、互いに平行にＸ軸方向に延びている。電極８は、信号電極として構成されている。表側電極部２Ｆと裏側電極部２Ｒに電圧が印加されると、表示面の法線方向から見て（表示面については後述する）、電極７とその裏側に位置する電極８とが重なる領域に略矩形の画素９が形成される（図９（ａ）では、任意の１の画素を着色して表した。後述の図１０も同様）。表側電極部２Ｆと裏側電極部２Ｒには、パッシブ駆動方式で電圧が印加される。つまり、液晶セル１０は、パッシブマトリクス型である（単純マトリクス型とも呼称される）。なお、電極７が信号電極として、電極８が走査電極として構成されていてもよい。電極７と電極８とは、各々、本実施形態に特有のジグザグ形状を有する。これについては、後に詳述する。
【００１５】
Ｘ軸及びＹ軸によるＸ−Ｙ平面は、液晶表示素子１００の表示面と平行な面であり、図中、両軸を示す矢印の向く方向を、各々の方向の＋（プラス）方向とすれば、液晶表示素子１００の視認者の視点が＋Ｙ軸方向に位置するものとして、表側電極部２Ｆと裏側電極部２Ｒとは、パターニングされている。ここで、表示面とは、液晶表示素子１００の表側の面であり、本実施形態では、第１の偏光板２０の表側の面が表示面に相当する。第１の偏光板２０の表側に、図示しない透明層（ＡＲ（Anti Reflection）コート層等）をさらに設けてもよいが、この場合は、この透明層の表側の面が表示面に相当することになる。
【００１６】
ブラックマトリクス３は、所定の樹脂、金属等からなる遮光部である。ブラックマトリクス３は、図１（ｂ）に示すように、表側基板１Ｆの裏面上に形成されている。ブラックマトリクス３は、表示面の法線方向から見て、後述の画素９の端縁を覆うように、格子状に形成されている。ブラックマトリクス３は、後述する光抜けを軽減するために設けられる。
【００１７】
平坦化層４は、ブラックマトリクス３が形成されることにより生じる段差を平坦化するものである。平坦化層４は、ブラックマトリクス３を液晶層６側から覆うように、表側基板１Ｆの裏面上に形成されている。平坦化層４は、アクリル等の所定の樹脂からなる。なお、ブラックマトリクス３及び平坦化層４を、裏側基板１Ｒと裏側電極部２Ｒとの間に設けても良い。
【００１８】
配向膜５Ｆ，５Ｒは、それぞれ、液晶層６に接する垂直配向膜であり、例えばポリイミドから、公知の方法（例えば、フレクソ印刷）によって形成される。配向膜５Ｆは、表側電極部２Ｆを液晶層６側から覆う。配向膜５Ｒは、裏側電極部２Ｒを液晶層６側から覆う。配向膜５Ｆには、所定の方向にラビング処理が施され、細かい溝が形成されている。配向膜５Ｒには、配向膜５Ｆのラビング方向とは逆方向にラビング処理が施され、細かい溝が形成されている（いわゆるアンチパラレルラビング）。このようにラビング処理が施された配向膜５Ｆ，５Ｒは、液晶層６に表側電極部２Ｆ及び裏側電極部２Ｒから電圧が印加されていないとき（電圧無印加時）の液晶分子６Ａの配向方向（液晶分子６Ａの長軸ＭＡ（図２参照）の向く方向）を、表側基板１Ｆ，裏側基板１Ｒの主面（液晶層６側に向く面）と略垂直に規定するとともに、液晶分子６Ａを、その長軸ＭＡが１つの方位に揃うように配向する（いわゆるモノドメイン配向）。配向膜５Ｆと配向膜５Ｒによって、液晶分子６Ａにはプレティルトが付与される。プレティルトとは、オン電圧印加時に液晶分子６Ａの倒れる方向（以下、液晶ダイレクタ方向Ｎとも言う）を規定するため、液晶分子６Ａを垂直方向から若干倒すことをいう。ここで、表側基板１Ｆの主面と電圧無印加時における液晶分子６Ａの長軸ＭＡとのなす角であって鋭角のものをプレティルト角θp（図２参照）とすれば、プレティルトを付与するにつれ、プレティルト角の角度は、９０°から減少するという関係になる。ここでは、プレティルト角の角度が、例えば、８８°〜８９．５°になるように設定されている。
【００１９】
液晶層６は、表側基板１Ｆと裏側基板１Ｒと、両基板を接合するシール材（図示せず）とによって形成される空間に封入されている。液晶層６は、誘電率異方性Δεが負（Δε＜０）の液晶材から構成されている。また、液晶層６は、その層厚（セルギャップ）が図示しないスペーサにより一定に保たれている。液晶層６は、その屈折率異方性Δｎと層厚ｄとの積で表されるリタデーションΔｎ・ｄの値が、例えば、０．８〜０．９μｍ程度に設定されている。液晶層６にしきい電圧以上の電圧が印加されると、略垂直に配向された液晶分子６Ａが、液晶ダイレクタ方向Ｎに倒れ込むように挙動する。そして、オン電圧が印加されたときは、液晶分子は両基板（表側基板１Ｆ、裏側基板１Ｒ）の主面と実質的に平行となる。
【００２０】
第１及び第２の偏光板２０，３０は、一方の面側から入射した光を、吸収軸に直交する透過軸に沿った直線偏光として他方の面側から出射する。第１の偏光板２０は液晶セル１０の表側に位置し、第２の偏光板３０は液晶セル１０の裏側に位置する。第１及び第２の偏光板２０，３０は、図３（ａ）、（ｂ）に示すように、それぞれの吸収軸２０Ａと吸収軸３０Ａとが直交するように配置されている（直交ニコル配置）。また、吸収軸２０Ａ、吸収軸３０Ａ各々と液晶ダイレクタ方向Ｎとのなす角の角度が４５°と設定されている。第１及び第２の偏光板２０，３０としては、例えば、染料系の偏光フィルムであるＳＨＣ−１３Ｕ（株式会社ポラテクノ社製）を用いることができる。
【００２１】
Ｃプレート４０及び二軸性プレート５０は、液晶セル１０と第１の偏光板２０との間に位置する。そして、Ｃプレート４０の裏側に二軸性プレート５０が位置する。つまり、液晶セル１０の表側には、液晶セル１０に近いほうから、二軸性プレート５０、Ｃプレート４０、第１の偏光板２０の順で積み上げられている。
【００２２】
Ｃプレート４０は、一軸光学異方性を有し、いわゆるネガティブＣプレートと呼ばれる位相差板からなる。具体的には、Ｃプレート４０は、面内のＸ軸方向の屈折率をＮｘ、面内でＸ軸に垂直なＹ軸方向の屈折率をＮｙ、Ｘ軸及びＹ軸に垂直なＺ軸方向の屈折率をＮｚとしたとき、Ｎｘ＝Ｎｙ＞Ｎｚとなる特性を有する。Ｃプレート４０は、例えば、面内方向のリタデーションＲｅが０ｎｍ、厚さ方向のリタデーションＲｔｈが２２０ｎｍに設定されたものである。Ｃプレート４０は、オフ電圧印加時における液晶層６の厚さ方向のリタデーションを補償するように、そのＲｔｈの値が設定されている。
【００２３】
二軸性プレート５０は、二軸光学異方性を有し、いわゆる二軸性位相差板からなる。具体的には、二軸性プレート５０は、屈折率が、Ｎｘ＞Ｎｙ＞Ｎｚとなる特性を有する。二軸性プレート５０は、面内方向のリタデーションＲｅが、オン電圧印加時に液晶分子６Ａが表側基板１Ｆ，裏側基板１Ｒの主面と完全に平行にはならなくとも、光を効率的に透過させるように設定されている。Ｒｅは、二軸性プレート５０の厚さをＤとしたとき、Ｒｅ＝（Ｎｘ−Ｎｙ）・Ｄで表される。Ｒｅは、例えば４５ｎｍ〜５０ｎｍ程度に設定されている。また、二軸性プレート５０は、厚さ方向のリタデーションＲｔｈが、オフ電圧印加時における液晶層６の厚さ方向のリタデーションの一部を補償するように設定されている。Ｒｔｈは、Ｒｔｈ＝{（Ｎｘ−Ｎｙ）／２−Ｎｚ}・Ｄで表される。Ｒｔｈは、例えば４４０ｎｍ〜４５０ｎｍ程度に設定されている。二軸性プレート５０は、面内で屈折率が最も大きい方向に向く遅相軸ＳＡ（図３（ａ）、（ｂ）参照）と、遅相軸ＳＡと直交し屈折率が最も小さい方向に向く進相軸（図示せず）と、を有する。遅相軸ＳＡは、図３（ａ）に示すように、正面視で（表示面の法線方向から見た場合）、吸収軸２０Ａと平行であり、吸収軸３０Ａと直交する。
【００２４】
ここで、液晶表示素子１００を正面視する使用者から見ての左右方向に沿う軸を基準とし、この軸から反時計回りに角度が０°から増えるとする。このように角度を規定すれば、図３（ｂ）に示すように、吸収軸２０Ａは４５°方向に、液晶ダイレクタ方向Ｎは９０°の方向に、遅相軸ＳＡは４５°方向に、吸収軸３０Ａは１３５°の方向に沿う。
【００２５】
第２の偏光板３０の裏側には、バックライト（図示せず）が備えられている。液晶表示素子１００は、バックライトからの光により透過表示を行う。また、表側電極部２Ｆ及び裏側電極部２Ｒには、制御装置（図示せず）が接続されている。この制御装置は、パッシブマトリクス駆動方式により、液晶層６にオン電圧、オフ電圧を印加して、液晶表示素子１００を駆動する。
【００２６】
液晶表示素子１００では、液晶分子６Ａが倒れ始めるしきい電圧よりも低い値にオフ電圧が設定されている。そのため、液晶層６にオフ電圧を印加しても液晶分子６Ａは実質的に垂直に配向したままである。この場合、バックライトから出射され、第２の偏光板３０を通過した光は、液晶層６によって偏光方向がほとんど変化しない。そのため、液晶セル１０を裏側から透過した光のほとんどは、第２の偏光板３０と直交ニコルの関係で配置された第１の偏光板２０を透過できない。従って、オフ電圧が印加された領域の表示は黒く視認される（ノーマリブラックモード）。一方、液晶層６にオン電圧を印加すると、オン電圧が印加された領域の液晶分子６Ａが液晶ダイレクタ方向Ｎ側に傾く。このとき、特に液晶層６の断面中間に位置する液晶分子６Ａは、その長軸ＭＡが液晶セル１０の基板主面と実質的に平行となるように挙動する。これにより、液晶層６を透過する光に複屈折が起き、光の偏光方向が変化し、液晶セル１０を裏側から透過した光は第１の偏光板２０を透過する。従って、オン電圧が印加された領域が透過表示状態となる。
【００２７】
以上に説明した液晶表示素子１００では、液晶セル１０の表側に、液晶セル１０に近いほうから、二軸性プレート５０、Ｃプレート４０の順で、二枚の光学補償板を積層した構造が特徴の一つとなっている。ここからは、本願発明者らが、いかにしてこの積層構造を想到したかについて、また、この積層構造の有用性について図４〜図８を参照して説明する。
【００２８】
（光学補償板の積層構造について）
本願発明者らは、以上に説明した液晶表示素子１００とは二枚の光学補償板の位置が異なる二つの比較例を設定した。このうち一つは、液晶セル１０の表側にＣプレート４０、裏側に二軸性プレート５０を配置した液晶表示素子であり、図４（ａ）に示す「比較例１」である。もう一つは、液晶セル１０の裏側に、液晶セル１０から近いほうから、二軸性プレート５０、Ｃプレート４０を配置した液晶表示素子であり、図４（ｂ）に示す「比較例２」である。図４（ｃ）に示す「実施例」は、液晶表示素子１００に対応する。そして、シミュレーションにより、等コントラスト特性、オン電圧印加時の透過率（ＯＮ透過率）、背景透過率を算出した。算出結果を示すチャートを図４（ａ）〜（ｃ）に示す。
【００２９】
ここでのシミュレーションは、上述した液晶表示素子の各種例において、以下の諸条件の下で行った。
・液晶層６：Δｎ・ｄ＝０．８２６μｍ
・駆動条件：ＭＬＳ（Multi Line Selection）駆動、１／６４デューティ、１／８バイアス
なお、このシミュレーションでは、電極７，８のジグザグ形状を考慮していない。また、このシミュレーション結果は、シンテック株式会社製のシミュレーションソフト「ＬＣＤ  ＭＡＳＴＥＲ」により導出したものである。また、ここでは、オン電圧を１８．５Ｖと設定している。
【００３０】
等コントラスト特性（図中、「等ＣＲ」）は、コントラストの上限を１００として円形チャートで示したものである。なお、コントラストは、所定の表示領域におけるオン時の輝度をオフ時の輝度で除して求められる。ＯＮ透過率及び背景透過率の視角特性は、透過率の上限を５％として円形チャートで示したものである。いずれの円形チャートにおいても、円の中心が視角０°を表し、円の外周が視角８０°を表している。なお、視角は、使用者の視線と表示面とのなす角であり、角度が大きいほど、液晶表示素子の表示面を斜めから視認することになる。また、使用者が表示面の法線方向から見た場合の、左右方向に沿う軸を基準とし、この軸から反時計回りに角度が０°から増えるとして、視角方向を規定している（円形チャートの外周における０、９０、１８０、２７０の指標を参照）。
【００３１】
まず、各例における等コントラスト特性に着目すると、コントラストが１００に近い領域Ｃ１（図４（ｃ）の等コントラスト特性を表す円形チャートの右側のバーグラフ上、「Ｃ１」で示した箇所に対応）が、比較例１及び比較例２に比べて、実施例のほうが、視角０°を中心に広範に渡っており、且つ、左右方向に広がっていることがわかる。これにより、実施例のように液晶セル１０の表側に二枚の光学補償板を配置したほうが、左右方向のコントラストに優れることがわかる。
【００３２】
次に、各例におけるＯＮ透過率の特性に着目すると、透過率が５に近い領域（図４（ｃ）のＯＮ透過率特性を表す円形チャートの右側のバーグラフ上、「Ｔ１」で示した箇所に対応）が、比較例１に比べて、比較例２及び実施例のほうが、広範に渡っていることがわかる。これにより、実施例や比較例２のように、液晶セル１０の片側に二枚の光学補償板を配置したほうが、ＯＮ透過率に優れることがわかる。
【００３３】
次に、各例における背景透過率の特性に着目すると、透過率が５に近い領域（図４（ｃ）の背景透過率特性を表す円形チャートの右側のバーグラフ上、「Ｔ２」で示した箇所に対応）が、比較例１及び２に生じている一方、実施例には生じていない。これにより、実施例のように液晶セル１０の表側に二枚の光学補償板を配置したほうが、背景抜けが低減できることがわかる（背景透過率は低ければ低いほどよい）。
【００３４】
以上の考察により、２つの光学補償板（Ｃプレート４０と二軸性プレート５０）を液晶セル１０の表側に配置したほうが、表示品位に優れていることがわかる。
【００３５】
続いて、液晶セル１０の表側に２つの光学補償板を設けた場合の、有用な配置順序を定めるべく、本願発明者らは、液晶表示素子１００（図５（ａ）に示す「実施例」に対応）を実際に作成すると共に、液晶セル１０の表側に、液晶セル１０から近いほうから、Ｃプレート４０、二軸性プレート５０の順で積層した液晶表示素子（図５（ｂ）に示す「比較例３」に対応）を実際に作成した。なお、この比較例３の光学補償板の配置順序は、上述の特許文献１に係る液晶表示素子と同様である。そして、実際に、実施例と比較例３の等コントラスト特性、オン電圧印加時の透過率（ＯＮ透過率）、背景透過率を測定した。測定結果を示す円形チャートを図５（ａ）、（ｂ）に示す。ここでの円形チャートの表し方は、図４（ａ）〜（ｃ）と同様である。
【００３６】
ここでの測定は、実施例、比較例３における各部材、各種条件を下記のように選定して行ったものである。
・液晶層６：Δｎ・ｄ＝０．８３７μｍ
・Ｃプレート４０：Ｒｔｈ＝２２０ｎｍ
・二軸性プレート５０：Ｒｅ＝４５ｎｍ、Ｒｔｈ＝４５０ｎｍ
・駆動条件：ＭＬＳ（Multi Line Selection）駆動、１／６４デューティ、１／８バイアス、駆動電圧１７．６６Ｖ、駆動周波数１３４Ｈｚ
【００３７】
まず、実施例と比較例３との両例における等コントラスト特性に着目すると、コントラストが概ね９０〜１００の領域Ｃ２（図５（ａ）の等コントラスト特性を表す円形チャートの右側のバーグラフ上、「Ｃ２」で示した箇所に対応）が、実施例よりも比較例３のほうがムラなく広がっているものの、広がりかたに関してはほぼ同様である。
【００３８】
次に、両例におけるＯＮ透過率の特性に着目すると、透過率が概ね４．５〜５．０の領域Ｔ３（図５（ａ）のＯＮ透過率特性を表す円形チャートの右側のバーグラフ上、「Ｔ３」で示した箇所に対応）は、両例で同様である。
【００３９】
次に、両例における背景透過率の特性に着目すると、透過率が概ね１．０〜３．０の領域Ｔ４（図５（ａ）の背景透過率特性を表す円形チャートの右側のバーグラフ上、「Ｔ４」で示した箇所に対応）も、両例で同様である。
【００４０】
以上の考察により、等コントラスト、ＯＮ透過率、及び背景透過率の視角特性においては、実施例と比較例３とでは、顕著な差異はなく同等であることがわかる。つまり、両例ともに、広視角で表示が良好であると言える。
ところで、液晶セル１０の表側に、二枚の光学補償板を配置する場合、従来は、比較例３のようにＣプレートを二軸性プレートよりも液晶セル１０側に配置していた。このようにしていた理由は、理論上は二軸性プレートとＣプレートの配置順序によって光学補償効果が変化することがないため、まずは、液晶セル１０の厚さ方向のリタデーションを液晶セル１０に近い光学補償板により補償することが慣例となっていた、ということだと考えられる。実際に、図５（ａ）、（ｂ）の測定結果が示すように、二枚の光学補償板の配置順序によっては、視角特性における顕著な差異はないように思われる。
しかし、本願発明者らは、正面コントラスト特性に優れるのは、従来とは異なる、液晶セル１０により近いほうに二軸性プレートを配置するという構成であることを見出した。
【００４１】
図６に、実施例及び比較例３の左右視角方向におけるコントラスト特性のグラフを示す。また、図６のグラフの元となるデータを図７及び図８に示す。このデータは、図５（ａ）及び（ｂ）に示したのと同様に実測した数値に基づくものであり、図５（ａ）及び（ｂ）のうち等コントラスト特性を示す円形チャートにおける左右方向に沿った軸上の数値に対応する。
【００４２】
図６を参照するとわかるように、実施例のほうが比較例３よりも、コントラストが高い（実施例のコントラストを示すグラフＧ１、比較例３のコントラストを示すグラフＧ２を参照）。具体的には、図７及び図８に示すデータを参照し、例えば、コントラストが１０よりも低い範囲に着目すると、実施例では、視角θが−８０°〜−７２°の範囲と（図７参照）、θが６９．０〜８０．０の範囲でコントラストが１０より低く、比較例３では、視角θが−８０°〜−７０°の範囲と（図７参照）、θが６８．５〜８０．０の範囲でコントラストが１０より低い。このようにコントラストが低い視角範囲は、比較例３よりも実施例のほうが狭くなっていることから、ユーザが深い視角で表示面を視認したときのコントラストは、実施例のほうが優れていることがわかる。また、図６を参照して、例えば、視角θが−２０°〜２０°の範囲に着目すると、実施例のほうが、比較例よりもコントラストが高いことがわかる。一例を挙げれば、図８に示すように、θ＝０°でのコントラストは、実施例は１０６．６１と、比較例３の７３．２４よりも格段に優れることがわかる。以上の考察により、メカニズムは不明であるものの、実施例は、比較例３よりも、とりわけ正面コントラストの特性に優れることがわかった。
【００４３】
（電極の形状について）
また、液晶表示素子１００では、上述した光学補償板を積層構造の他、電極７，８が特有の形状を有している。ここからは、電極７，８の形状について説明する。
【００４４】
図９（ａ）に示すように、表側電極部２Ｆを構成する電極７は、Ｙ軸方向に延びる矩形の帯状電極の同図中左右端に三角形の切り込みを入れたような形状で形成されている。具体的には、左右両端に切れ込みを入れることにより、電極７は、その左右両端に、底辺がＹ軸の向きと一致する二等辺三角形をＹ軸方向に連続して配列したような形状となる。そして、左側に位置する二等辺三角形の頂角の位置が右側に位置する二等辺三角形の底角の位置と一致するようにして、左右両端の各々に位置する二等辺三角形が配列したような形状になっている。これにより、図９（ａ）に示すように、隣り合う電極７は、所定の隙間を明けて嵌り合うような形状になっている。
【００４５】
図９（ａ）に示すように、裏側電極部２Ｒを構成する電極８は、Ｘ軸方向に延びる矩形の帯状電極の同図中上下端に三角形の切り込みを入れたような形状で形成されている。具体的には、上下両端に切れ込みを入れることにより、電極８は、その上下両端に、底辺がＸ軸の向きと一致する二等辺三角形をＸ軸方向に連続して配列したような形状となる。そして、上側に位置する二等辺三角形の頂角の位置が下側に位置する二等辺三角形の底角の位置と一致するようにして、上下両端の各々に位置する二等辺三角形が配列したような形状になっている。これにより、図９（ａ）に示すように、隣り合う電極８は、所定の隙間を明けて嵌り合うような形状になっている。
【００４６】
電極７と電極８とは、延びる方向がＹ軸、Ｘ軸方向と異なる他は、同様な形状で形成されている。これにより、液晶表示素子１００を正面視した場合、両者が重なる部分に形成される画素９は、図９（ａ）に示すようになる。
【００４７】
より詳しくは、図９（ｂ）に示すように、電極７の端部が表現する三角形は、Ｙ軸方向に沿った底辺を持ち、底角が３０°の二等辺三角形となっており、図９（ｃ）に示すように、電極８の端部が表現する三角形は、Ｘ軸方向に沿った底辺を持ち、底角が３０°の二等辺三角形となっている。そして、両者が重なる領域に形成される画素９は、例えば、一辺が０．３〜０．４ｍｍの正方形（必要な画像の大きさによって適宜変更可能）と概ね面積が一致するようになっている。また、隣り合う電極間は、電極７、電極８、共に、例えば、８μｍに設定されている。
【００４８】
ところで、パッシブマトリクス型のＶＡ型液晶表示素子で適用される高デューティ駆動では、通常、オフ電圧を液晶分子が倒れ始める閾値電圧よりも低く設定することでオフ電圧印加時の透過率の上昇を防いでいる。しかし、電極間に斜め電界が生じる等すると、設定したオフ電圧で液晶分子が倒れてしまい、画素部で光抜けが発生する。この光抜けを低減する方法の１つとして、画素エッジに対応する辺と偏光板の吸収軸（または透過軸）とを平行又は直交にするようにして液晶表示素子を構成する方法が知られている。この方法に従って光抜けを効果的に低減しようと思えば、図３（ａ）に示す吸収軸２０Ａ、３０Ａと画素エッジに対応する辺が平行又は直交するように、電極７，８の各々を、その端部に底角が４５°の直角二等辺三角形状が配列したようなジグザグ形状に形成すればよいはずである。
【００４９】
しかし、本願発明者らは、あえて、吸収軸２０Ａ、３０Ａと画素エッジに対応する辺が完全には一致しない、底角が３０°の二等辺三角形を電極の延びる方向に配列したようなジグザグ形状に電極７、電極８の各々を形成することにした。このようにした理由を、図１１（ａ）〜（ｃ）を参照して説明する。
【００５０】
図１１（ａ）に示す比較例は、電極７，８の各々を、その端部に底角が４５°の直角二等辺三角形状が配列したようなジグザグ形状に形成した例である。図１１（ｂ）に示す実施例は、以上に説明した液晶表示素子１００に対応する。図１１（ｃ）に示す変形例は、電極７と電極８の一方の端部を、底角が３０°の二等辺三角形状が配列したようなジグザグ形状に形成した例である。なお、各例において、隣り合う電極間は、８μｍに設定している。
【００５１】
光抜けは、画素エッジ部に発生する。図１１（ａ）〜（ｃ）の電極の形状によって、光抜けの強さ等が若干変わるものの、光抜けが発生する領域Ｅの幅は概ね変わらない。例えば、この領域Ｅの幅が約１０μｍであるとする。ジグザグ形状の電極の端部が表現する三角形の底辺の長さが同じである場合、比較例のほうが実施例よりも、三角形の高さ（電極の延びる方向と直交する）が大きくなる。この高さ分に起因して、例えば、比較例の場合は、実質的には１１μｍ分の幅と、この幅の両側に発生する光り抜け領域Ｅの幅とを考慮した３１μｍ分をブラックマトリクス３で覆う必要がある（図中、ブラックマトリクス３の必要幅を模式的に表し、符号３Ｗを付した）。一方、実施例の場合は、電極の端部が表現する三角形の高さが比較例よりも低くて済む。そのため、実質的には１０μｍ分の幅と、この幅の両側に発生する光抜け領域Ｅの幅とを考慮した３０μｍ分をブラックマトリクス３で覆うようにすればよい。つまり、比較例よりも実施例のほうが、光抜けを防止するためのブラックマトリクス３の必要幅を細くすることができるため、開口率を高くすることができる。
【００５２】
以上のように、電極７，８、各々の端部が表現する三角形を、底角が３０°の二等辺三角形にすれば、吸収軸２０Ａ、３０Ａと画素エッジに対応する辺とのなす角が１５°と比較的小さく保てるため、光抜けを良好に低減でき、且つ、ブラックマトリクス３の必要幅が比較例に比べて小さく保てるため、高開口率化を実現できる。
【００５３】
さらには、開口率を高くするという観点からは、表側電極部２Ｆを構成する電極と、裏側電極部２Ｒを構成する電極との一方の端部を、底角が３０°の二等辺三角形状が配列したようなジグザグ形状に形成すればよい。このようにすれば、図１１（ｃ）の変形例に示すように、ジグザグ形状を形成していない電極端部では、電極間が８μｍの幅と、この幅の両側に発生する光抜け領域Ｅの幅とを考慮した２８μｍ分をブラックマトリクス３で覆うようにすればよいため、ブラックマトリクス３の形成領域の面積をより小さくすることができ、高開口率化を実現できる。
【００５４】
この変形例に係る電極を簡潔に説明する。図１０に示すように、表側電極部２Ｆを構成する電極７Ａは、Ｙ軸方向に延びる矩形の帯状電極である。一方、裏側電極部２Ｒを構成する電極８Ａは、図９に示した電極８と同様に形成されている。これにより、液晶表示素子１００を正面視した場合、両者が重なる部分に形成される画素９Ａは、図１０に示すようになる。高開口率化を狙う観点からは、電極をこのように構成してもよい。無論、表側電極部２Ｆを構成する電極をジグザグ形状に形成して、裏側電極部２Ｒを構成する電極を矩形の帯状電極のままに保ってもよい。
【００５５】
以上に説明した液晶表示素子１００は、パッシブ駆動方式で駆動される液晶表示素子であって、垂直配向型の液晶セル１０と、液晶セル１０よりも液晶表示素子１００の表示側に位置する（つまり、液晶セル１０の表側に位置する）第１の偏光板２０と、液晶セル１０を挟んで第１の偏光板２０とは反対側に位置し（つまり、液晶セル１０の裏側に位置する）、第１の偏光板２０と略直交ニコルの関係で配置された第２の偏光板３０と、液晶セル１０と第１の偏光板２０の間に位置する二軸性プレート５０と、二軸性プレート５０と第１の偏光板２０の間に位置するＣプレート４０と、を備え、液晶表示素子１００の表示面の法線方向から見て、第２の偏光板３０は、その吸収軸３０Ａが、液晶セル１０に駆動電圧が印加されたときに液晶分子６Ａが倒れ込む方向（液晶ダイレクタ方向Ｎ）に対して略４５°の角度となり、且つ、二軸性プレート５０の面内方向の遅相軸ＳＡと略直交するように配置されている。これにより、図５（ａ）を参照して説明したように広視角で表示が良好で、且つ、図６を参照して説明したように正面コントラストも良好である。
また、液晶表示素子１００は、ドットマトリクス型であり、液晶セル１０は、延びる方向が互いに直交する電極７と電極８とを有し、電極７の延びる方向は、液晶ダイレクタ方向Ｎと一致し、電極７は、その延びる方向に沿った両端が三角形を複数配列したような形状であることによりジグザグに形成されており、該三角形は、電極７の延びる方向に沿った底辺を有し、底角が略３０°の二等辺三角形であり、電極８は、その延びる方向に沿った両端が三角形を複数配列したような形状であることによりジグザグに形成されており、該三角形は、電極８の延びる方向に沿った底辺を有し、底角が略３０°の二等辺三角形である。また、図１０を参照して説明したように、一方の電極のみ（例えば、図１０の電極８Ａ参照）、ジグザグに形成してもよい。このようにすれば、ブラックマトリクス３の形成領域の面積を必要最小限にすることができるため、高開口率化を実現できる。
なお、ここで、「略直交ニコル」、「略４５°」等々のように、「略」という用語を用いたが、これは、液晶表示素子１００を構成する各部材の製造誤差、液晶表示素子１００の組み付け誤差等により、基準とする数値から若干ずれても含むという意味である。例えば、略４５°であれば、丁度４５°は無論含むし、組み付け誤差等の回避が困難な誤差で４５°から数度ずれたものも含むという意である。
【００５６】
なお、本発明は上記の実施形態及び図面によって限定されるものではない。上記の実施形態及び図面に変更（構成要素の削除も含む）を加えることができるのはもちろんである。
【００５７】
液晶表示素子が上述した実施例に特有の光学補償板の積層構造を有しているならば、電極をジグザグに形成しなくともよい。つまりは、上述した実施例に特有の光学補償板の積層構造を有しているならば、表側、裏側の電極共に従来の矩形の電極を用いたドットマトリクス型のものであってもよいし、さらには、セグメント表示型のものであってもよい。いずれにせよ、広視角で表示が良好で正面コントラストも良好な液晶表示素子を提供することが可能である。
【００５８】
液晶表示素子１００は、液晶セル１０の裏面側に反射層（半透過反射層も含む）を設けた反射型のものであってもよい。
【００５９】
以上の説明では、本発明の理解を容易にするために、重要でない公知の技術的事項の説明を適宜省略した。
【符号の説明】
【００６０】
１００…液晶表示素子
１０…液晶セル
２Ｆ…表側電極部
２Ｒ…裏側電極部
３  …ブラックマトリクス
６  …液晶層
６Ａ…液晶分子
７，７Ａ，８，８Ａ…電極
９，９Ａ…画素
２０…第１の偏光板
２０Ａ…吸収軸
３０…第２の偏光板
３０Ａ…吸収軸
４０…Ｃプレート
５０…二軸性プレート
ＳＡ…遅相軸
Ｎ  …液晶ダイレクタ方向
【図１】
2015064483.tif 000003
【図２】
2015064483.tif 000004
【図３】
2015064483.tif 000005
【図９】
2015064483.tif 000006
【図１０】
2015064483.tif 000007
【図１１】
2015064483.tif 000008
【図４】
2015064483.tif 000009
【図５】
2015064483.tif 000010
【図６】
2015064483.tif 000011
【図７】
2015064483.tif 000012
【図８】
2015064483.tif 000013